【事件の表示】
　平成　６年特許願第　１４３２５号「血行促進方法及び装置」拒絶査定不服審判事件〔平成　７年　８月２２日出願公開、特開平　７−２２２７８５号〕について、次のとおり審決する。
【結　論】
　本件審判の請求は、成り立たない。
【理　由】
第１．手続の経緯
　本願は、平成６年２月８日の出願であって、平成１４年７月１７日付けで手続補正がなされ、平成１５年１月９日付けで拒絶査定がなされ、これに対し、平成１５年３月６日付けで、拒絶査定に対する審判請求がなされるとともに、さらに、平成１５年４月１日受付で手続補正がなされたものである。
　
第２．平成１５年４月１日受付の手続補正についての補正却下の決定
［補正却下の決定の結論］
　平成１５年４月１日受付の手続補正を却下する。
　　
［理由］
１．上記手続補正は、特許請求の範囲を、次のように補正するものである。
　「【請求項１】  ６０ｐｐｍ以上、３０００ｐｐｍ未満の炭酸ガスを溶解している温水を多数の孔より、線速度１．０ｍ／秒以上、１５ｍ／秒未満
で、シャワー状に吐出させることを特徴とする血行促進方法。
　【請求項２】  温水に炭酸ガスを溶解させる溶解器と
、同溶解器に連結された
と
であって
　
前記
からなり、同炭酸ガス溶解モジュールの前記導出口が前記シャワー用ノズルに接続され、６０ｐｐｍ以上、３０００ｐｐｍ未満に制御された
た温水が前記シャワー用ノズルから
されて噴出される
　　
２．補正の目的、新規事項の追加の有無
　この補正は、拒絶査定時の、平成１４年７月１７日付けの手続補正により補正された特許請求の範囲の請求項２（以下、「補正前請求項２」とい
う。）に「・・・溶解器とシャワー用ノズルと温水の流量を検知して炭酸ガスを溶解器に供給する制御系を有する血行促進装置において、」とあるのを「・・・溶解器と、同溶解器に連結されたシャワー用ノズルと温水の流量を検知して炭酸ガスを溶解器に供給する制御系とを有する血行促進装置であって、」とするとともに、「溶解器が・・・炭酸ガス溶解モジュールであり、且つ、炭酸ガスを溶解している温水を線速度１．０ｍ／秒以上、１５ｍ／秒未満に制御できること」とあるのを「前記溶解器が・・・炭酸ガス溶解モジュールからなり、同炭酸ガス溶解モジュールの前記導出口が前記シャワー用ノズルに接続され、６０ｐｐｍ以上、３０００ｐｐｍ未満に制御された炭酸ガスを溶解した温水が前記シャワー用ノズルから線速度１．０ｍ／秒以上、１５ｍ／秒未満に制御されて噴出されること」とするものであって、これらは、構成要件を直列的に付加するものであり、そして、補正前請求項２及び補正後の請求項２に記載された発明の産業上の利用分野及び解決しようとする課題が同一であるから、特許請求の範囲の減縮を目的とするものである。
  したがって、上記補正は、平成６年改正前の特許法第１７条の２第３項第２号の特許請求の範囲の減縮を目的とするものに該当する。
　そして、本件補正は、新規事項を追加するものでもない。
　　
３．独立特許要件
　そこで、本件補正後の上記請求項２に係る発明（以下、「本願補正発明」という。）が特許出願の際独立して特許を受けることができるものであるか（平成６年改正前特許法第１７条の２第４項において読み替えて準用する同法第１２６条第３項の規定に適合するか）について以下に検討する。
　　
３−１．引用例の記載事項
　原査定の拒絶の理由に引用された引用文献１（特開平５−２３３７６号公報、以下「刊行物１」という。）、引用文献２（特開平２−２７９１５８号公報、以下「刊行物２」という。）には、図面とともに次の事項が記載されている。
（１）刊行物１
ア．「【請求項１】ガス、電気または灯油により水道水を加熱する熱交換器を備えた給湯機と、給湯機からの温水の給湯量を検出する給湯量検出装置
と、炭酸ガスを蓄積する炭酸ガスボンベと、前記給湯量検出装置によって検出された給湯量に応じて、炭酸ガスボンベからの炭酸ガスを熱交換器からの温水に混入する炭酸ガス混入装置と、を備えることを特徴とする給湯システ
ム。」（特許請求の範囲）
イ．「【０００１】【産業上の利用分野】　本発明は給湯システムに関し、特に、給湯機からの温水に炭酸ガスを混入させて浴槽に給湯を行う給湯システムに関する。
【０００２】【従来の技術】近年、仕事の疲れを癒したり、ストレスを解消して健康を増進するための入浴が見直されている。・・・人体への炭酸ガスの効果としては、血行の促進、血圧の低下、冷え性の改善などが挙げられている。」（段落【０００１】、【０００２】）
ウ．「【０００５】【課題を解決するための手段】  前記目的を達成する本発明の給湯システムは、ガス、電気または灯油により水道水を加熱する熱交換器を備えた給湯機と、給湯機からの温水の給湯量を検出する給湯量検出装置と、炭酸ガスを蓄積する炭酸ガスボンベと、給湯量検出装置によって検出された給湯量に応じて、炭酸ガスボンベからの炭酸ガスを熱交換器からの温水に混入する炭酸ガス混入装置とを備えることを特徴としている。
【０００６】この炭酸ガス混入装置は、炭酸ガス流量制御弁を備え、炭酸ガスボンベからの炭酸ガス吐出量を、炭酸ガス流量制御弁によって制御することにより、給湯量に応じて熱交換器からの温水に炭酸ガスを混入するように構成すれば良い。
【０００７】給湯量検出装置としては、給水栓の開度を検出するものでも良いが、給湯時に温水から放出される炭酸ガスの量によって給湯量を検出する炭酸ガス濃度検出装置を浴槽の所定箇所に取り付けても良い。」（段落【０００５】〜【０００７】）
エ．「【０００９】【作用】　本発明の給湯システムによれば、炭酸ガス濃度検出装置等の給湯量検出装置により給湯時の給湯量が検出されると、給湯機の熱交換器の出口側に設けられた炭酸ガス混入装置により、給湯量に応じて自動的に炭酸ガスボンベからの炭酸ガスが湯中に混入されて給湯栓から供給される。また、炭酸ガスを浴槽内に供給可能な給湯システムでは、炭酸ガス濃度検出装置によって浴槽内の炭酸ガス濃度が下がった時に、炭酸ガスが浴槽内に供給されて炭酸ガス濃度が所定濃度に保持される。」（段落【０００９】）
オ．「【００１１】図１は本発明の給湯システムの一実施例の構成を示す給湯経路図である。図において、１は炭酸ガスボンベ、２は給湯機、３は炭酸ガス混入装置、４は給湯機２内に設けられたガスバーナ、５は熱交換器、６は給湯水路、７は炭酸ガス供給管、８は浴槽、９は炭酸ガス収集装置、１０は炭酸ガスセンサ、１１は炭酸ガスセンサ10の出力信号線である。
【００１２】給湯機２の内部にはガスバーナ４の熱で水道水を加熱する熱交換器５が設けられており、熱交換器５で加熱された温水は同じく給湯機２の内部に設けられた炭酸ガス混入装置３に導かれる。炭酸ガス混入装置３には炭酸ガスボンベ１からの炭酸ガスが導かれるようになっており、この炭酸ガス混入装置３において、温水に炭酸ガスが混入される。炭酸ガスが混入された温水は給湯水路６を通って給湯栓６Ａまたはシャワー６Ｂから放出され
る。また、炭酸ガス混入装置３には炭酸ガスのみを吐出することができる炭酸ガス供給管７が接続されており、この炭酸ガス供給管７の他端は浴槽８の下部に開口し、炭酸ガスを浴槽内の温水に放出することができるようになっている。一方、浴槽８の所定の場所には、炭酸ガス収集装置９が設けられており、浴槽８に供給された温水中から放出される炭酸ガスを集めて炭酸ガスセンサ１０に導くようになっている。炭酸ガスセンサ１０は浴槽８内の温水中から放出される炭酸ガスの濃度を検出して、出力信号１１によって検出濃度を炭酸ガス混入装置３にフィードバックする。
【００１３】炭酸ガスは水に対する溶解度が大きい反面、水中から放出されやすいので、図１に示すように、浴槽８の水面から放出される炭酸ガスの濃度を測定することにより、予め測定されたデータを基に、浴槽８に温水を供給する時の温水中の炭酸ガス混入率、および給水の終わった浴槽８内の温水中の炭酸ガス混入率を知ることができる。
【００１４】図２は図１の炭酸ガス混入装置３の内部の具体的な構成の一実施例を示すものである。炭酸ガス混入装置３の内部には、熱交換器５に接続する温水導入管３１と炭酸ガスボンベ１に接続する炭酸ガス導入管３２を備えたミキサ３０があり、このミキサ３０において熱交換器５からの温水に炭酸ガスボンベ１からの炭酸ガスが混入され、炭酸ガスが混入された温水が給湯水路６に出力されるようになっている。炭酸ガス導入管３２の途中には、温水の炭酸ガスボンベ１側への逆流を防止する逆止弁３３と、炭酸ガスボンベ１からの炭酸ガスの量を調整する炭酸ガス流量制御弁３４が設けられている。また、この炭酸ガス流量制御弁３４の出力側の炭酸ガス導入管３２は２分岐され、一方はミキサ３０に接続され、他方は炭酸ガス供給弁３５を介して炭酸ガス供給管７に連絡されている。なお、このミキサ３０においては、前述のように炭酸ガスの水に対する溶解度が大きいので、温水中に炭酸ガスを通すだけで温水中に炭酸ガスが混入する。
【００１５】炭酸ガス流量制御弁３４と炭酸ガス供給弁３５は共に電磁弁であり、炭酸ガス流量制御弁３４の制御部３４Ａには炭酸ガスセンサ１０からの信号、後述する給湯スイッチと強制スイッチからの信号が入力され、炭酸ガス供給弁３５の制御部３５Ａには炭酸ガスセンサ１０からの信号と給湯スイッチからの信号が入力される。この制御については後述するが、炭酸ガス流量制御弁３４は温水中の炭酸ガスの混入率を制御するために細かく制御する弁であり、炭酸ガス供給弁はＯＮ／ＯＦＦだけ行えば良い弁である。そして、炭酸ガス流量制御弁３４の開閉頻度または開閉度を制御することによ
り、温水中の炭酸ガスの混入率を１５０ＰＰＭから５００ＰＰＭに制御す
る。炭酸ガスを温水中に混入させた湯に入浴すると、炭酸ガスは皮膚から吸収されて血行を促進し、入浴後に湯冷めしにくい等の効果があり、西ドイツではこの効果に必要な最低限の炭酸ガス混入率は４００ＰＰＭと報告されているが、我が国では１１０ＰＰＭでも効果があることが報告されている。従って、この実施例では温水中に混入させる炭酸ガスの最小値を１５０ＰＰ
Ｍ、上限値を５００ＰＰＭとし、炭酸ガス混入率がこの範囲になるように炭酸ガス流量制御弁３４の開閉頻度または開閉度を制御することにした。」（段落【００１１】〜【００１５】）
　上記ア〜オの記載事項を総合すると、「前記給湯量検出装置によって検出された給湯量に応じて、炭酸ガスボンベからの炭酸ガスを熱交換器からの温水に混入する炭酸ガス混入装置」は、「検出された給湯量に応じて、炭酸ガスを温水に混入する炭酸ガス混入装置」といえるから、刊行物１には、
「検出された給湯量に応じて、炭酸ガスを温水に混入する炭酸ガス混入装置と、炭酸ガス混入装置に給湯水路で連結されたシャワーと、を備えた給湯システムであって、温水中の炭酸ガスの混入率を１５０ｐｐｍから５００ｐｐｍに制御してなる給湯システム。」（以下、「刊行物１記載の発明」とい
う。）が記載されていると認められる。
　
（２）刊行物２
カ．「(１)中空糸型半透膜の表面に接触させて水を流通させ、また上記中空糸型半透膜の中空内に炭酸ガスを給送して上記中空糸型半透膜の表面に接触して流通する水中に炭酸ガスを上記中空糸型半透膜を介して分散、吸収させて炭酸水を生成することを特徴とする炭酸水の生成方法。
(２)水を流通させる駆動装置と、該駆動装置によって流通される水に表面を接触する中空糸型半透膜を備えた分散器と、該分散器の中空糸型半透膜の中空内に炭酸ガスを給送して該中空糸型半透膜の表面に接触して流通する水中に上記炭酸ガスを上記中空糸型半透膜を介して分散、吸収させる炭酸ガス供給装置とを備えたことを特徴とする炭酸水の生成装置。」（特許請求の範
囲）
キ．「〔産業上の利用分野〕
  本発明は、人工的に炭酸温水を生成する方法及び装置に関し、特に浴槽の温水に好適な炭酸温水の生成方法及び装置に関する。」（第１ページ右下欄第１１行〜第１４行）
ク．「本実施例装置は、第１図に示す如く、浴槽１中の温水２を導管３を介して循環流通させる吸引ポンプ４と、該吸引ポンプ４によって循環する温水２に表面が接触する中空糸型半透膜５１を備えた分散器５と、該分散器の中空糸型半透膜５１の中空内に導管６を介して炭酸ガスを給送し、該中空糸型半透膜５１を介して循環流通する上記温水２中に上記炭酸ガスを分散、吸収させる炭酸ガスボンベ７とを備えて構成されている。
　而して、上記中空糸型半透膜５１を備えた分散器５は、第２図に示す如
く、同一長さに形成された中空糸型半透膜５１を多数本束ねて、シェル５２内に装着され、上記シェル４２の両端に上記中空糸型半透膜５１の束の端面を被覆するようにカバー５３、５３が取り付けられている。そして、一方のカバー５３において上記中空糸型半透膜５１の束端面を封止し、他方のカバー５３において導管６が連結されている。該導管６の他端には炭酸ガスボンベ７が連結されており、該炭酸ガスボンベ７の炭酸ガスが上記導管６を介して上記中空糸型半透膜５１の各中空内に給送されて、該中空糸型半透膜５１を所定圧力迄加圧し得るように構成されている。
　また、上記シェル５２には、上記カバー５３、５３近傍に位置させて導管３が連結されており、一方の導管３から上記シェル５２内に温水２が流入して上記中空糸型半透膜５１の表面に接触しつつシェル５２内を流通し、他方の導管３から流出して上記浴槽１との間を循環するようになされている。そして、温水２がシェル５２内を流通する間に中空糸型半透膜５１の中空から炭酸ガスが中空糸型半透膜５１を透過し微細な気泡になって、該中空糸型半透膜５１に接触しつつ流通する温水２に炭酸ガスを分散、吸収させるように構成されている。  而して、上記分散器５の中空糸型半透膜５１としては、一般に人工透析膜として用いられている中空糸を好適に用いることができ
る。上記分散器５内の中空糸型半透膜５１に循環流通させる通水量は、該中空糸型半透膜５１の材質、性状によって異なる。
  また、中空内に給送する炭酸ガスの流量も通水量と同様、中空糸型半透膜５１の材質、性状によって異なる。
  上記中空糸型半透膜５１は、炭酸ガスの透過性があれば良く、そのような材質として、例えば、ポリカーボネート、ポリアクリロニトリル、ポリスルホン、ポリオレフィン等の有機多孔質半透膜が挙げられ、また、中空糸型半透膜51に代えて、ガラス多孔質膜、ステンレス焼結体、セラミックス膜等の無機多孔質等を用いることもできる。
  また、上記中空糸型半透膜５１、無機多孔質膜それぞれの細孔径が０．１ｎｍ〜１０，０００ｎｍの範囲にあることが好ましい。この細孔径は必要に応じて適宜選択するとができる。
  そして、上記中空糸型半透膜５１に接触させつつ分散器５内を循環流通させる水量と炭酸ガス供給量との比率（ガス／液供給比）は、分散器内の理論飽和溶解度に対して５〜３００％の範囲に設定しておくことが好ましい。
  上記実施例装置によれば、中空糸型半透膜５１を介して炭酸ガスが微小な気泡となって温水２中に分散するため、気泡の温水２に対する接触面積が極めて大きく、温水２に対して炭酸ガスが極めて効率よく溶解、吸収される。そのため分散器５をコンパクトにすることができ、装置の小型化、設置面積の省スペース化等を達成することができる。」（「上記シェル４２」は「上記シェル５２」の誤記と認められる。第３ページ右上欄第１１行〜第４ページ左上欄第１８行）
　上記カ〜クの記載事項を総合し、その内容を検討すると
・「同一長さに形成された中空糸型半透膜５１を多数本束ねて、シェル５２内に装着され、」という記載から、「中空糸型半透膜」は「中空糸膜」ともいえるし、「シェル５２内に装着され、」は「シェル５２内に位置され、」ともいえるから、中空糸型半透膜５１（中空糸膜）自体に注目すると「シェル内に位置する中空糸膜」ということができる。
・「そして、一方のカバー５３において上記中空糸型半透膜５１の束端面を封止し、他方のカバー５３において導管６が連結されている。該導管６の他端には炭酸ガスボンベ７が連結されており、該炭酸ガスボンベ７の炭酸ガスが上記導管６を介して上記中空糸型半透膜５１の各中空内に給送されて、該中空糸型半透膜５１を所定圧力迄加圧し得るように構成されている。」という記載において、「該炭酸ガスボンベ７の炭酸ガスが上記導管６を介して上記中空糸型半透膜５１の各中空内に給送されて、該中空糸型半透膜５１を所定圧力迄加圧し得るように構成されている。」は、「中空糸型半透膜５
１」、「各中空内に」及び「給送」が、それぞれ「中空糸膜」、「中空部
に」及び「供給」ともいえるから、「中空糸膜の中空部に炭酸ガスを加圧して供給するように構成されている。」ということができ、「他方のカバー５３において導管６が連結されている」部分は、この部分から炭酸ガスが中空糸型半透膜５１の各中空内部に供給されるのであるから、「給気口」ということができる。
・「上記シェル５２には、上記カバー５３、５３近傍に位置させて導管３が連結されており、一方の導管３から上記シェル５２内に温水２が流入して上記中空糸型半透膜５１の表面に接触しつつシェル５２内を流通し、他方の導管３から流出して」という記載において、「上記中空糸型半透膜５１の表
面」は「中空糸膜の外表面」ともいうことができ、「シェル５２内を」は「シェル５２の内壁面内を」ともいうことができるから、温水が流通する空間は「中空糸膜の外表面とシェルの内壁面とで構成され」ているということができるとともに、一方の導管３が連結されたシェル５２の部分は、この部分から温水がシェル５２内に流入するのであるから、「導入口」ということができ、さらに他方の導管３が連結されたシェル５２の部分は、この部分から温水がシェル５２から流出するのであるから、「導出口」ということがで
き、また、「温水」も「水」といえる。
・中空糸膜を備えた装置において、中空糸膜の端部を支持し、中空糸膜の中空部に連通する空間と中空糸膜の外表面に連通する空間とを隔離する隔壁を備えることは従来周知の技術であり（例えば、実願昭５５−１６４２６８号（実開昭５７−８６６２３号）のマイクロフィルム、特開昭５７−８６３５９号公報、特開平１−２２４０１１号公報を参照）、分散器５が「一方の導管３から上記シェル５２内に温水２が流入して上記中空糸型半透膜５１の表面に接触しつつシェル５２内を流通し、他方の導管３から流出」するものであることからすると、分散器５においてもシェル５２の中空糸型半透膜５１の端部が位置する所に上記従来周知の技術のように隔壁を備え、温水が中空糸型半透膜５１の炭酸ガスが給送される端面側に流出しないようになっているものと推認できる。
　そうすると、刊行物２には、実質的に、「分散器がシェルと該シェル内に位置する中空糸膜と、該中空糸膜の端部を支持し、中空糸膜の中空部に連通する空間と中空糸膜の外表面に連通する空間とを隔離する隔壁を有し、中空糸膜の外表面とシェルの内壁面とで構成される空間に水を流すための導入口及び導出口と中空糸膜の中空部に炭酸ガスを加圧して供給する給気口とを設けた分散器。」が記載されていると認められる。
　
３−２．対比・判断
　本願補正発明と刊行物１記載の発明とを対比すると、その機能・構造か
ら、後者の「炭酸ガス混入装置」は前者の「温水に炭酸ガスを溶解させる溶解器」に相当し、後者の「炭酸ガス混入装置に給湯水路で連結されたシャワー」は前者の「同溶解器に連結されたシャワー用ノズル」に相当する。ま
た、後者の「検出された給湯量に応じて、炭酸ガスを温水に混入する」は、「検出された給湯量に応じて、炭酸ガスを温水に混入する」ように制御する制御系を備えていることを当然の前提としていると解されるから、前者の「温水の流量を検知して炭酸ガスを溶解器に供給する制御系」に相当する。
　また、刊行物１の記載事項イの段落【０００２】、記載事項オの段落【００１５】に、炭酸ガスを混入した温水が皮膚に接触し、炭酸ガスが吸収されることにより血行が促進されることが示されており、このことは入浴のみでなく、シャワーを浴びても同様と解されるから、刊行物１記載の発明の「給湯システム」も「血行促進装置」であることは明白である。
　したがって、両者は、
「温水に炭酸ガスを溶解させる溶解器と、同溶解器に連結されたシャワー用ノズルと温水の流量を検知して炭酸ガスを溶解器に供給する制御系とを有する血行促進装置。」である点で一致し、次の点で相違する。
 【相違点１】
　溶解器に関して、本願補正発明は、溶解器が容器と該容器内に位置する中空糸膜と、該中空糸膜の端部を支持し、中空糸膜の中空部に連通する空間と中空糸膜の外表面に連通する空間とを隔離する隔壁とを有し、中空糸膜の外表面と容器の内壁面とで構成される空間に水を流すための導入口及び導出口又は該空間に炭酸ガスを加圧し供給するための給気口と中空糸膜の中空部に水を流すための導入口及び導出口又は該中空部に炭酸ガスを加圧し供給するための給気口とを設けた炭酸ガス溶解モジュールからなり、同炭酸ガス溶解モジュールの前記導出口が前記シャワー用ノズルに接続されているのに対して、刊行物１記載の発明においては、溶解器（炭酸ガス混入装置）がそのようになっていない点
　【相違点２】
　シャワー用ノズルから噴出される温水に関して、本願補正発明は、６０ｐｐｍ以上、３０００ｐｐｍ未満に制御された炭酸ガスを溶解した温水が前記シャワー用ノズルから線速度１．０ｍ／秒以上、１５ｍ／秒未満に制御されて噴出されるのに対して、刊行物１記載の発明は、温水中の炭酸ガスの混入率を１５０ｐｐｍから５００ｐｐｍに制御しているが、シャワーからの線速度については明確ではない点
　　
３−３．相違点の判断
（１）相違点１について
　刊行物２には、前述のとおり、「分散器がシェルと該シェル内に位置する中空糸膜と、該中空糸膜の端部を支持し、中空糸膜の中空部に連通する空間と中空糸膜の外表面に連通する空間とを隔離する隔壁を有し、中空糸膜の外表面とシェルの内壁面とで構成される空間に水を流すための導入口及び導出口と中空糸膜の中空部に炭酸ガスを加圧して供給する給気口とを設けた分散器。」が記載されている（上記３−１．の(２)を参照）。そうすると、刊行物１記載の発明において、炭酸ガス混入装置に代えて刊行物２に記載された分散器を用いて、導出口をシャワーに接続して、相違点１における本願補正発明の構成にすることは、当業者であれば適宜なし得たものである。また、本願補正発明の相違点１に係る構成とすることによる効果も格別なものではない。
　
（２）相違点２について
　刊行物１記載の発明は、温水中の炭酸ガスの混入率を１５０ｐｐｍから５００ｐｐｍに制御しており、この１５０ｐｐｍから５００ｐｐｍの混入率を含むより広範囲の混入率である６０ｐｐｍ以上、３０００ｐｐｍ未満にすることは、当業者であれば実験等により適宜決め得たものである。
  また、刊行物１記載の発明も、炭酸ガスを温水に混入させることにより、血行促進等の健康増進を図るものであり、特に刊行物１の記載事項オの段落【００１５】には、温水への炭酸ガス混入率と血行促進効果との関連についても記載している。
　刊行物１記載の発明において、シャワーからの炭酸ガスを混入した温水を噴出することにあたり、上述の血行促進効果を得るためには、炭酸ガスの混入率のみならず、該温水の皮膚への接触の程度や刺激度を決定する温水の噴出速度、すなわち線速度が、こうした効果に強く関与するであろうことは、当業者にとって自明ともいうべき事項であり、線速度を種々選定して、この効果の程度を検証してみようとすることは、当業者がごく自然に想起し得ることである。
　そして、シャワー用ノズルから噴出される温水の線速度は、通常、温水配管に設けられた給湯バルブを制御することにより、使用者にとって、快適な値となるよう幅広く制御し得るものといえ、線速度１．０ｍ／秒以上、１５ｍ／秒未満とすることが、通常選定し得るシャワーの線速度からみて、特異な値とする根拠は見当たらない。
　また、６０ｐｐｍ以上、３０００ｐｐｍ未満に制御された炭酸ガスを溶解した温水を線速度１．０ｍ／秒以上、１５ｍ／秒未満とすることにより、臨界的な効果が奏されるとの技術的根拠も見いだすことはできない。
　
  したがって、本願補正発明は、刊行物１記載の発明及び刊行物２に記載された分散器に基づいて、当業者が容易に発明をすることができたものであるから、特許法第２９条第２項の規定により、特許出願の際独立して特許を受けることができない。
　
３−４．むすび
　したがって、本件補正は、平成６年改正前特許法第１７条の２第４項において読み替えて準用する同法第１２６条第３項の規定に違反するので、特許法第１５９条第１項において読み替えて準用する同法第５３条第１項の規定により却下すべきものである。
　
第３．本願発明
　平成１５年４月１日受付の手続補正は、上記のとおり却下されたので、本願の請求項２に係る発明（以下、「本願発明」という）は、平成１４年７月１７日付けの手続補正書により補正された明細書の特許請求の範囲の請求項１に記載された以下のとおりのものと認められる。
「温水に炭酸ガスを溶解させる溶解器とシャワー用ノズルと温水の流量を検知して炭酸ガスを溶解器に供給する制御系を有する血行促進装置において、溶解器が容器と該容器内に位置する中空糸膜と、該中空糸膜の端部を支持
し、中空糸膜の中空部に連通する空間と中空糸膜の外表面に連通する空間とを隔離する隔壁とを有し、中空糸膜の外表面と容器の内壁面とで構成される空間に水を流すための導入口及び導出口又は該空間に炭酸ガスを加圧し供給するための給気口と中空糸膜の中空部に水を流すための導入口及び導出口又は該中空部に炭酸ガスを加圧し供給するための給気口とを設けた炭酸ガス溶解モジュールであり、且つ、炭酸ガスを溶解している温水を線速度１．０ｍ／秒以上、１５ｍ／秒未満に制御できることを特徴とする血行促進装置。」
　
第４．引用例の記載事項
  原査定の拒絶の理由に引用された引用文献１、２及びその記載事項は、前記第２．の３の３−１に記載したとおりである。
　
第５．対比・判断
　本願発明は、前記第２．の１及び２で検討した本願補正発明において、「・・・溶解器と、同溶解器に連結されたシャワー用ノズルと温水の流量を検知して炭酸ガスを溶解器に供給する制御系とを有する血行促進装置であっ
て、」とあるのを「・・・溶解器とシャワー用ノズルと温水の流量を検知して炭酸ガスを溶解器に供給する制御系を有する血行促進装置において、」とし、「前記溶解器が・・・炭酸ガス溶解モジュールからなり、同炭酸ガス溶解モジュールの前記導出口が前記シャワー用ノズルに接続され、６０ｐｐｍ以上、３０００ｐｐｍ未満に制御された炭酸ガスを溶解した温水が前記シャワー用ノズルから線速度１．０ｍ／秒以上、１５ｍ／秒未満に制御されて噴出されること」とあるのを「溶解器が・・・炭酸ガス溶解モジュールであ
り、且つ、炭酸ガスを溶解している温水を線速度１．０ｍ／秒以上、１５ｍ／秒未満に制御できること」とするものであり、実質的に、本願補正発明において、シャワー用ノズルの限定事項である「同溶解器に連結された」、「同炭酸ガス溶解モジュールの前記導出口が前記シャワー用ノズルに接続さ
れ、」、炭酸ガスの濃度についての限定事項である「６０ｐｐｍ以上、３０００ｐｐｍ未満に制御された」、「前記シャワー用ノズルから」、「噴出される」との構成要件を省いたものである。
　そうすると、本願発明の構成要件をすべて含み、さらに、他の構成要件を付加したものに相当する本願補正発明が、前記第２．の３に記載したとお
り、刊行物１記載の発明及び刊行物２に記載された分散器に基づいて、当業者が容易に発明をすることができたものであるから、本願発明も、同様に、刊行物１記載の発明及び刊行物２に記載された分散器に基づいて、当業者が容易に発明をすることができたものである。
　
第６．むすび
　以上のとおり、本願発明は、刊行物１記載の発明及び刊行物２に記載された分散器に基づいて、当業者が容易に発明をすることができたものであるか
ら、特許法第２９条第２項の規定により、特許を受けることができない。
　よって、結論のとおり審決する。